【事件の表示】
　特許第３２７６２０６号「内視鏡の管路切換装置」の請求項１ないし４に係る特許に対する特許異議の申立てについて、次のとおり決定する。
【結　論】
　訂正を認める。
　特許第３２７６２０６号の請求項１ないし４に係る特許を維持する。
【理　由】
１．手続の経緯
　特許第３２７６２０６号の請求項１〜４に係る発明は、平成５年６月２８日に特許出願され、平成１４年２月８日にその特許権の設定登録がなされ、その後、藤田洋子より特許異議の申立がなされ、取消の理由が通知され、その指定期間内である平成１５年３月４日に訂正請求がなされたものである。
　
２．訂正の適否
２−１．訂正の内容
（１）特許請求の範囲の請求項１を次のとおり訂正する。
「【請求項１】内視鏡の操作部内に配管された複数の流体送通管路を上記操作部に配置されたシリンダ体の側面に接続し、上記シリンダ体内で管路切り換え部材を移動させることによって上記複数の流体送通管路間の連通状態を切り換えるようにした内視鏡の管路切換装置において、
　上記シリンダ体の上記複数の流体挿通管路との接続部となる壁の厚みの外半部分だけを弾力性のあるゴム材により形成して、上記シリンダ体を上記操作部及び上記複数の流体送通管路に対して着脱自在に構成し、上記シリンダ体が上記操作部から取り外されると、上記シリンダ体の側面が面していた部分に上記複数の流体送通管路が開口して、その開口から上記各流体送通管路内に掃除用ブラシを差し込むことができるようにしたことを特徴とする内視鏡の管路切換装置。」
　
２−２．訂正の目的、新規事項の有無、及び特許請求の範囲の拡張・変更の存否
　訂正事項（１）は、「上記シリンダ体の上記複数の流体挿通管路との接続部となる壁の厚みの外半部分だけを弾力性のあるゴム材により形成して、」の構成を付加し「シリンダ体」を限定するものであり、この訂正は、特許請求の範囲の減縮を目的とするものである。
　また、上記訂正事項（１）は、本件特許明細書の段落〔００１６〕〔００１９〕〔００３６〕の記載を根拠にしている。
　よって、上記訂正事項（１）の訂正は、願書に添付した明細書又は図面に記載した事項の範囲内でなされたものであり、また、実質上特許請求の範囲を拡張し又は変更するものではない。
　
２−３．むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項だたし書、第２項及び第３項の規定に適合するので、当該訂正を認める。
　
３．特許異議申立の概要
　特許異議申立人藤田洋子は、証拠として
甲第１号証：特開昭６３−２０３１２７号公報
甲第２号証：特開昭５８−５４９２５号公報
を提出し、　
上記甲第１号証に記載された発明と同一と認められるから、特許法第２９条１項第３号に規定する発明に該当し、特許を受けることができないか、または、上記甲第１号証、甲第２号証に記載の発明に基いて当業者が容易に発明をすることができたものと認められるから、特許法第２９条第２項の規定により特許を受けることができないものであり、同法第１１３条第２号の規定により、特許を取り消されるべきものである旨主張している。
　
４．特許異議申立についての判断
４−１．請求項１〜４に係る発明
　本件特許第３２７６２０６号の請求項１〜４に係る発明は、訂正明細書の特許請求の範囲の請求項１〜４に記載された次のとおりのものである。
「【請求項１】内視鏡の操作部内に配管された複数の流体送通管路を上記操作部に配置されたシリンダ体の側面に接続し、上記シリンダ体内で管路切り換え部材を移動させることによって上記複数の流体送通管路間の連通状態を切り換えるようにした内視鏡の管路切換装置において、
　上記シリンダ体の上記複数の流体挿通管路との接続部となる壁の厚みの外半部分だけを弾力性のあるゴム材により形成して、上記シリンダ体を上記操作部及び上記複数の流体送通管路に対して着脱自在に構成し、上記シリンダ体が上記操作部から取り外されると、上記シリンダ体の側面が面していた部分に上記複数の流体送通管路が開口して、その開口から上記各流体送通管路内に掃除用ブラシを差し込むことができるようにしたことを特徴とする内視鏡の管路切換装置。
【請求項２】上記シリンダ体と上記操作部との着脱部の操作部側には上記流体送通管路が開口し、その流体送通管路開口と接続される接続開口が上記流体送通管路開口と位置を合わせて上記シリンダ体側に形成されている請求項１記載の内視鏡の管路切換装置。
【請求項３】上記両開口を接続及び分離するのと同方向の移動によって上記シリンダ体を上記操作部に着脱する着脱手段が設けられている請求項２記載の内視鏡の管路切換装置。
【請求項４】上記両開口のうちの一方が突起状に形成されていて他方の内部に嵌め込まれる請求項３記載の内視鏡の管路切換装置。」
　
４−２．引用刊行物
　当審が通知した取消の理由に引用した刊行物には、以下の事項が記載されている。
（１）刊行物１：特開昭６３−２０３１２７号公報（甲第１号証）には、以下の記載がある。
「上記吸引制御装置７は第１図に示すようにシリコンゴム、フッ素ゴムあるいはニトリルブチルゴムなどの弾性部材からなる本体８を有する。この本体８は鉗子栓部９と吸引弁部１１とからなる。鉗子栓部９には上記内視鏡１の図示せぬチャンネルに連通する第１の管路１２が形成されている。」（第２頁右上欄第１４行〜第１９行）
「上記本体８の吸引弁部１１には一端が本体８の下端面に解放した第２の管路１７が上記第１の管路１２とほぼ平行に形成されている。この第２の管路１２の中途部には断面楕円形で平面形状が円形をなした空間部１８が形成されている。この空間部１８の内底部には第２図に示すように連通溝１９が形成されている。さらに、上記第２の管路１７の他端は吸引弁部１１の上面に形成された球形状のクッション部２に連通している。このクッション部２１は上記吸引弁部１１と一体成形されていて、その頂部には通孔２２が穿設されている。この通孔から上記第２の管路１７へは弁部材２３が挿通されている。この弁部材２３は軸方向全長にわたって連通孔２４が穿設された中空状をなしていて、・・・弁部材２３はその下端のフランジ２６が空間部１８に位置するようクッション部２１の通孔２２から第２の管路１７を弾性変形させて挿入されている。この弁部材２３はクッション部２１によって抜出方向に付勢され、それによって下端のフランジ２６が空間部１８に係合して第２の管路１７を遮断しているとともに、抜出するのが阻止されている。さらに、上記本体８には一端を第１の管路１２を連通させ、他端を第２の管路１７に連通させた通路２７がこれら第１、第２の管路１２、１７に対してほぼ直角に形成されている。この通路２７の他端は上記第２の管路１７の空間部１８よりも上方の個所に接続されている。」（第２頁左下欄第１１行〜第３頁左上欄第１行）
「上記構成の本体８は、上記操作部２に突出したチャンネル口金２８と吸引口金２９に第１の管路１２と第２の管路１７との一端をそれぞれ弾性的に嵌着させて着脱自在に設けられている。上記チャンネル口金２８は内視鏡１の挿入部３の全長にわたって形成された図示しないチャンネルに連通し、上記吸引口金２９は第４図に示すようにその端部が操作部２の外部に導出され、そこには吸引チューブ３１の一端が接続されている。」（第３頁左上欄第６行〜第１４行）
「内視鏡のチャンネルに連通する管路と、吸引器側に連通する管路およびこれら管路を結ぶ通路とが弾性部材によって一体的に形成されており、・・・開閉操作が可能な弁部材を設けた。」（第４頁左上欄第３行〜第１０行）
　
（２）刊行物２：特開昭５８−５４９２５号公報（甲第２号証）には、以下の記載がある。
「近年、ＨＢ抗原などによる院内感染が問題となっており、とくに患者の血液で汚染される吸引管路は単に消毒液を通すだけでなく、ブラッシングする必要性が訴えられている。・・・」（第２頁左上欄第１行〜同第５行）
　そして、第２図〜第４図等に示す各実施例には、内視鏡の吸引管路９、１０をブラシにより洗浄する構成が示され、ブラッシングする際には管路を切り換える管路切り換え部材としてのピストン及び第２のシリシダを、内視鏡操作部側から取り外し可能とし、このピストン及び第２のシリンダを操作部側から取り外すと、複数の流体管路としての吸引管路の端部が内視鏡操作部の側面に開口し、この開口した各流体管路の端部からブラシを挿入して、流体管路内全域をブラッシング洗浄する構成が記載されている。
　
４−３．対比・判断
　請求項１に係る発明（以下、本件発明という。）と刊行物１に記載された発明とを対比する。
　刊行物１に記載された発明の「本体」「弁部材」は、それぞれ本件発明の「シリンダ体」「管路切り換え部材」に相当する。
　また、刊行物１に記載された発明のチャンネル口金や吸引口金は、操作部に突出した構成となっていおり、ブラシが挿入可能な構造になっていると認められる。
　よって、両者は、
「内視鏡の操作部内に配管された複数の流体送通管路を上記操作部に配置されたシリンダ体の側面に接続し、上記シリンダ体内で管路切り換え部材を移動させることによって上記複数の流体送通管路間の連通状態を切り換えるようにした内視鏡の管路切換装置において、上記シリンダ体を上記操作部及び上記複数の流体送通管路に対して着脱自在に構成し、上記シリンダ体が上記操作部から取り外されると、上記シリンダ体の側面が面していた部分に上記複数の流体送通管路が開口して、その開口から上記各流体送通管路内に掃除用ブラシを差し込むことができる内視鏡の管路切換装置」である点で一致し、
シリンダ体が、本件発明では、「シリンダ体の複数の流体挿通管路との接続部となる壁の厚みの外半部分だけを弾力性のあるゴム材により形成」されているのに対し、刊行物１に記載された発明では、「シリコンゴム、フッ素ゴムあるいはニトリルブチルゴムなどの弾性部材からなる」点で相違する。
　この相違点について検討するに、刊行物１に記載された発明のシリンダ体に相当する「本体」は、全体が弾性部材からなるものであり、本件発明のように「シリンダ体の複数の流体挿通管路との接続部となる壁の厚みの外半部分だけを弾力性のあるゴム材により形成」するという部分的に弾性部材を用いる技術思想はない。
　また、刊行物２にも前記技術思想を示唆する記載はない。
　してみると、刊行物１、２に記載された発明から本件発明に至ることが、当業者にとって容易であるとはいえない。
　
５．むすび
　以上のとおり、請求項１に係る発明は刊行物１に記載された発明と同一でもなく、刊行物１、２に記載された発明に基づいて当業者が容易に発明をすることができたものとすることもできない。
　また、請求項２〜４は請求項１を引用しているから、請求項２〜４に係る発明は、刊行物１、２に記載された発明に基づいて当業者が容易に発明をすることができたものとすることはできない。
　さらに、他に拒絶すべき理由を発見しない。
　よって、結論のとおり決定する。
【異議決定日】
平成１５年３月２４日（２００３．３．２４）
【訂正の要旨】
　▲１▼特許請求の範囲の請求項１を次の通りに訂正する。
　【請求項１】内視鏡の操作部内に配管された複数の流体送通管路を上記操作部に配置されたシリンダ体の側面に接続し、上記シリンダ体内で管路切り換え部材を移動させることによって上記複数の流体送通管路間の連通状態を切り換えるようにした内視鏡の管路切換装置において、
　
上記シリンダ体の上記複数の流体挿通管路との接続部となる壁の厚みの外半部分だけを弾力性のあるゴム材により形成して、
（５４）【発明の名称】
内視鏡の管路切換装置
（５７）【特許請求の範囲】
　【請求項１】内視鏡の操作部内に配管された複数の流体送通管路を上記操作部に配置されたシリンダ体の側面に接続し、上記シリンダ体内で管路切り換え部材を移動させることによって上記複数の流体送通管路間の連通状態を切り換えるようにした内視鏡の管路切換装置において、
　
上記シリンダ体の上記複数の流体挿通管路との接続部となる壁の厚みの外半部分だけを弾力性のあるゴム材により形成して、
　【請求項２】上記シリンダ体と上記操作部との着脱部の操作部側には上記流体送通管路が開口し、その流体送通管路開口と接続される接続開口が上記流体送通管路開口と位置を合わせて上記シリンダ体側に形成されている請求項１記載の内視鏡の管路切換装置。
　【請求項３】上記両開口を接続及び分離するのと同方向の移動によって上記シリンダ体を上記操作部に着脱する着脱手段が設けられている請求項２記載の内視鏡の管路切換装置。
　【請求項４】上記両開口のうちの一方が突起状に形成されていて他方の内部に嵌め込まれる請求項３記載の内視鏡の管路切換装置。
【発明の詳細な説明】
　【０００１】
　【産業上の利用分野】
　この発明は、切り換え部材をシリンダ体内で進退させる操作によって、複数の流体送通管路間の連通状態の切り換えを行うようにした内視鏡の管路切換装置に関する。
　【０００２】
　【従来の技術】
　この種の従来の内視鏡の管路切換装置においては、一般には、切り換え部材が差し込まれたシリンダ体が内視鏡操作部内に固着されていて、液体や気体を通すための複数の流体送通管路が、そのシリンダ体に接続されている。
　【０００３】
　【発明が解決しようとする課題】
　近年厳密さが要求されている内視鏡を介しての患者間感染を防止するために、内視鏡使用後毎に、管路切換装置及び流体送通管路内等を完全に掃除する必要がある。そのためには、流体送通管路内は全長にわたってブラッシングすることが望ましい。
　【０００４】
　しかし、上述のように流体送通管路が接続されたシリンダ体が操作部内に固着されていると、シリンダ内から切り換え部材を抜いても、シリンダ側から流体送通管路内に掃除ブラシを挿入するのが困難で、管路内の完全な掃除を行うことができなかった。
　【０００５】
　そこで、吸引切換装置と吸引管（流体送通管路）とを一体のユニットとして操作部に対して着脱自在にしたものがある。しかし、そのようなものは、吸引管が操作部外に露出するので、操作部の取り回しが著しくやり難くなってしまう欠点がある。
　【０００６】
　そこで本発明は、内視鏡使用後に流体送通管路内にシリンダ側から掃除ブラシを挿入して、管路内をブラッシングにより確実に掃除することができ、しかも操作部の取り回し性の良い内視鏡の管路切換装置を提供することを目的とする。
　【０００７】
　【課題を解決するための手段】
　上記の目的を達成するため、本発明の内視鏡の管路切換装置は、内視鏡の操作部内に配管された複数の流体送通管路を上記操作部に配置されたシリンダ体に接続し、上記シリンダ体内で管路切り換え部材を移動させることによって上記流体送通管路間の連通状態を切り換えるようにした内視鏡の管路切換装置において、上記シリンダ体を、上記操作部及び上記流体送通管路に対して着脱自在に構成したことを特徴とする。
　【０００８】
　なお、上記シリンダ体と上記操作部との着脱部の操作部側に上記流体送通管路を開口させ、その流体送通管路開口と接続される接続開口を、上記流体送通管路開口と位置を合わせて上記シリンダ体側に形成してもよい。
　【０００９】
　そして、上記両開口を接続及び分離するのと同方向の移動によって上記シリンダ体を上記操作部に着脱する着脱手段を設けるとよく、上記両開口のうちの一方を突起状に形成して、他方の内部に嵌め込まれるようにしてもよい。
　【００１０】
　【実施例】
　図面を参照して実施例を説明する。
　図３は、本発明を適用した電子内視鏡を示しており、２は操作部、３は可撓管からなる挿入部であり、挿入部３の先端には、対物光学系などを内蔵した先端部本体４が連結されている。
　【００１１】
　操作部２には、グリップ部５の上方に、送気送水操作弁２０と吸引操作弁４０が設けられ、さらにその上方にビデオコントローラ類のリモートコントロールスイッチ６が配置されている。
　【００１２】
　操作部２に連結された連結可撓管９の先端には、図示されていない光源装置（兼ビデオプロセッサ）に着脱自在に接続することができるコネクタ１０が取り付けられている。
　【００１３】
　コネクタ１０には、照明用ライトガイドファイババンドルの入射端を光源装置に差し込むためのライトガイド接続ロッド１１の他、吸引装置を接続するための吸引口金１２、及び送気送水装置を接続するための送気送水口金１３などが設けられている。
　【００１４】
　図３には図示されていないが、連結可撓管９内から操作部２内を経て挿入部３内には、先端部本体４において外方に開口する吸引管と送気送水管とが挿通されている。
　【００１５】
　そして吸引管は、基端部がコネクタ１０の吸引口金１２に連通接続されて、途中で吸引操作弁４０に接続され、送気送水管は、基端部がコネクタ１０の送気送水口金１３に接続されて、途中で送気送水操作弁２０に接続されている。
　【００１６】
　図１は送気送水操作弁２０を示している。
　送気送水操作弁２０の主体は、シリンダ体２２とその中に摺動自在に嵌合するピストン状の切り換え弁体２３であり、プラスチック製のシリンダ体２２は外方に向けて開口し、その底部は塞がれている。
　【００１７】
　シリンダ体２２の側面には、操作部２の側面に間隔をあけて形成された一対の係合穴７に弾性変形して嵌め込まれる一対の突起２４が突設されており、この突起２４を係合穴７内に嵌め込み或いは係合穴７から抜き出すことによって、シリンダ体２２を操作部２に固定し或いは操作部２から取り外すことができる。このような構成により、シリンダ体２２は操作部２に対して着脱自在である。
　【００１８】
　シリンダ体２２には、送気管１４と送水管１５の中間部が各々接続されるようになっており、シリンダ体２２の口元側に近い側から、送気送水口金１３に接続された上流側送水管１５ａ、先端部本体４に接続された下流側送水管１５ｂ及び下流側送気管１４ｂ、そして送気送水口金１３に接続された上流側送気管１４ａの順に、各管がシリンダ体２２の軸方向に位置をずらして接続される。
　【００１９】
　これら送気管１４ａ，１４ｂと送水管１５ａ，１５ｂの中間開口端は、係合穴７と並んで操作部２に突出して配置されている。
　また、シリンダ体２２の一対の突起２４間の壁２２ａは、その厚みの半分ほどが弾力性のあるゴム材によって形成されていて、そこに、送気管１４ａ，１４ｂ及び送水管１５ａ，１５ｂが嵌め込まれる接続開口３８ａ，３８ｂ，３９ａ，３９ｂが、送気管１４ａ，１４ｂ及び送水管１５ａ，１５ｂと位置を合わせて貫通形成されている。また、その内側のシリンダ体２２の壁には、各接続開口３８ａ，３８ｂ，３９ａ，３９ｂより大きな孔が貫通して穿設されている。
　【００２０】
　このような構成により、各接続開口３８ａ，３８ｂ，３９ａ，３９ｂ内に送気管１４ａ，１４ｂと送水管１５ａ，１５ｂを嵌め込むことによって、各管１４ａ，１４ｂ，１５ａ，１５ｂがシリンダ体２２に気密に接続され、その接続及び分離動作によって、同時に突起２４と係合穴７とが接続及び分離される。
　【００２１】
　切り換え弁体２３の軸部には、全長にわたる通気孔２５が貫通して穿設されており、中間部の外周面には、送水状態の時に上下送水管１５ａ，１５ｂを連通させるための連通溝２６が円周状に形成されている。ただし、図１に示される待機状態のときには、連通溝２６は上流側送水管１５ａと通じるだけである。
　【００２２】
　切り換え弁体２３の外周面には、連通溝２６に近接してその両側に、第１及び第２のシール用Ｏリング２７，２８が装着されており、第１のＯリング２７によって、連通溝２６と外気との間が閉塞され、第２のＯリング２８によって、連通溝２６と下流側送水管１５ｂとの間が閉塞される。また、下流側送水管１５ｂと下流側送気管１４ｂとの間が、切り換え弁体２３の外周面に装着された第３のシール用Ｏリング２９によって閉塞される。
　【００２３】
　上下送気管１４ａ，１４ｂの間は、シリンダ体２２内で直接連通するが、切り換え弁体２３端部に形成された鍔３１によって、下流側送気管１４ｂへの流路面積が狭められて、流路抵抗が大きくされている。
　【００２４】
　切り換え弁体２３の突出端には、中央にリーク孔３２が貫通穿設された押し釦３３が、連結筒３４を介して連結固定され、圧縮コイルスプリング３５によって常に外方に向けて付勢されている。
　【００２５】
　３６は、圧縮コイルスプリング３５部分を囲むようにシリンダ体２２の口元に係止されたカバー筒であり、切り換え弁体２３と押し釦３３のユニットをシリンダ体２２に着脱する役割を果たしている。
　【００２６】
　このように構成された送気送水操作弁２０は、図１に示される待機状態（ただし各管１４ａ，１４ｂ，１５ａ，１５ｂはシリンダ体２２に接続されているものとする）においては、上流側送水管１５ａの開口は第１と第２のＯリング２７，２８によって閉塞される。
　【００２７】
　そして、上流側送気管１４ａからシリンダ体２２内に送り込まれる空気は、切り換え弁体中心の通気孔２５と押し釦３３中央のリーク孔３２とを通って、外気中に放出される。下流側送気管１４ｂ内には、鍔３１部と下流側送気管１４ｂ内の流路抵抗によって送気は入っていかない。
　【００２８】
　送気時には、指先で押し釦３３中央のリーク孔３２を塞ぐことによって、上流側送気管１４ａからシリンダ体２２内に送られた空気が総て下流側送気管１４ｂ内に送り込まれる。
　【００２９】
　送水時には、押し釦３３を指先で押し込んで切り換え弁体２３をシリンダ体２２内方に移動させる。すると、下流側送気管１４ｂの開口は第２と第３のＯリング２８，２９によって完全に閉塞され、上下送水管１５ａ，１５ｂが連通溝２６を介して連通し、下流側送水管１５ｂ内に送水される。
　【００３０】
　このように構成された送気送水操作弁２０は、シリンダ体２２側面の突起２４を操作部２の係合穴７内に押し込んで嵌め込むことにより、同時に送気管１４ａ，１４ｂと送水管１５ａ，１５ｂがシリンダ体２２の接続開口３８ａ，３８ｂ，３９ａ，３９ｂに接続される。
　【００３１】
　そして、それと逆の動作で突起２４を係合穴７から抜き出すことにより、シリンダ体２２が操作部２から取り外され、送気管１４ａ，１４ｂと送水管１５ａ，１５ｂの開口（中間開口）が、図４及び図５に示されるように、操作部２の表面に露出する。
　【００３２】
　したがって内視鏡使用後には、送気送水操作弁２０を操作部２から取り外すことによって、送気管１４ａ，１４ｂと送水管１５ａ，１５ｂ内に各開口部から掃除用ブラシ（図示せず）を挿入して、各管内を全長にわたってブラッシングすることができる。
　【００３３】
　図２は吸引操作弁４０を示している。
　吸引操作弁４０のシリンダ体４２の側面には、送気送水操作弁２０と同様に一対の突起４１が突設され、それに係合する係合穴８が操作部２側に形成されていて、シリンダ体４２は操作部２に対して着脱自在である。
　【００３４】
　シリンダ体４２の中間部分には、内方に突出する絞り部４３が形成されていて、吸引管１６の中間部が、その絞り部４３を挟んで前後両側において、シリンダ体４２に開口接続される。
　【００３５】
　即ち、コネクタ１０の吸引口金１２に連通する下流側吸引管１６ａが、絞り部４３より口元側においてシリンダ体４２に開口接続され、先端部本体５に連通する上流側吸引管１６ｂが、絞り部４３より奥側においてシリンダ体４２に開口接続されるようになっている。
　【００３６】
　下流側と上流側の両吸引管１６ａ，１６ｂの中間開口端は、係合穴８と並んで操作部２に突出配置されている。そして、シリンダ体４２の一対の突起４１間の壁４２ａは、その厚みの半分ほどが弾力性のあるゴム材によって形成されていて、そこに吸引管１６ａ，１６ｂが嵌め込まれる接続開口５８ａ，５８ｂが、吸引管１６ａ，１６ｂと位置を合わせて貫通形成されている。また、その内側のシリンダ体４２の壁には、各接続開口５８ａ，５８ｂより大きな孔が貫通して穿設されている。
　【００３７】
　このような構成により、各接続開口５８ａ，５８ｂ内に吸引管１６ａ，１６ｂを嵌め込むことによって、吸引管１６ａ，１６ｂがシリンダ体４２に気密に接続され、その接続及び分離動作によって、同時に突起４１と係合穴８とが接続及び分離される。
　【００３８】
　切り換え弁体４４は、弾力性のあるゴム製であって、押し釦部分４５と一体に形成されている。そして、押し釦部分４５の台部は傘状に２重に形成されていて、傘状部分４６の縁部は、シリンダ体４２の口元の周囲に環状に形成された凹部内に外面を密着させるように嵌め込まれている。
　【００３９】
　切り換え弁体４４の先端には、シリンダ体４２の絞り部４３の奥側において絞り部４３と当接する太い環状のシール部４７が形成されていて、その部分でシリンダ体４２を閉塞している。
　【００４０】
　そして、シール部４７からシリンダ体４２の口元に至るまでの中間部分までは、シリンダ体４２との間に大きな隙間が生じるように、切り換え弁体４４の外周に連通溝４８が形成され、それより口元側の部分は、シリンダ体４２に摺動自在に嵌合している。
　【００４１】
　ただしその嵌合部分には、連通溝４８と傘状部分４６の内側空間とを連通させる通気溝４９が形成されており、傘状部分４６には、その内側空間と外気とを連通させるためのリーク孔５０が穿設されている。
　【００４２】
　このように形成された吸引操作弁４０は、図２に示される待機状態（ただし吸引管１６ａ，１６ｂはシリンダ体４２に接続されているものとする）においては、絞り部４３とシール部４７によって上下吸引管１６ａ，１６ｂの間が閉塞され、連通溝４８、通気溝４９及びリーク孔５０を介して下流側吸引管１６ａに外気が吸引される。
　【００４３】
　そして、切り換え弁体４４頭部の押し釦部分４５を指先で押し込むと、傘状部分４６内に形成された環状のシール片５１がシリンダ体４２の口元に密着して、リーク孔５０からの吸引が阻止される。
　【００４４】
　そして、切り換え弁体４４先端のシール部４７がシリンダ体４２の絞り部４３より奥側へ移動するので、連通溝４８を介して上下吸引管１６ａ，１６ｂが連通し、上流側吸引管１６ｂ内のものが下流側吸引管１６ａ内に吸引される。
　【００４５】
　このように構成された吸引操作弁４０は、シリンダ体４２側面の突起４１を操作部２の係合穴８内に押し込んで嵌め込むことにより、同時に吸引管１６ａ，１６ｂがシリンダ体４２の接続開口５８ａ，５８ｂに接続される。
　【００４６】
　そして、それと逆の動作で突起４１を係合穴８から抜き出すことにより、シリンダ体４２が操作部２から取り外され、吸引管１６ａ，１６ｂの開口（中間開口）が、図４及び図５に示されるように、操作部２の表面に露出する。
　【００４７】
　したがって、内視鏡使用後には、吸引操作弁４０を操作部２から取り外すことによって、吸引管１６ａ，１６ｂ内に各開口部から操作用ブラシ（図示せず）を挿入して、各管内を全長にわたってブラッシングすることができる。
　【００４８】
　【発明の効果】
　本発明の内視鏡の管路切換装置は、流体送通管路を内視鏡の操作部内に挿通した内視鏡に適用されるので、操作部の取り回し性が良く、且つシリンダ体を操作部及び流体送通管路に対して着脱自在に構成したので、内視鏡使用後には、シリンダ体を操作部から取り外すことによって、その取り外し部分から流体送通管路内に掃除用ブラシを挿入し、管路内を全長にわたり容易かつ確実にブラッシングすることができる。
　【００４９】
　その場合、掃除用ブラシは、シリンダ体を取り外した後の操作部側の流体送通管路開口から管路内に容易に挿通することができる。
　また、流体送通管路開口とシリンダ体側の接続開口とを接続及び分離するのと同方向の移動によってシリンダ体が操作部に着脱されるので、その着脱操作も非常に容易かつ確実に行うことができる。
【図面の簡単な説明】
　【図１】
　送気送水操作弁の実施例の断面図である。
　【図２】
　吸引操作弁の実施例の断面図である。
　【図３】
　内視鏡の外観側面図である。
　【図４】
　シリンダ体を取り外した状態の操作部の部分側面図である。
　【図５】
　シリンダ体を取り外した状態の操作部の部分正面図である。
　【符号の説明】
　２　操作部
　１４　送気管
　１５　送水管
　１６　吸引管
　２０　送気送水操作弁
　２２　シリンダ体
　２３　切り換え弁体
　４０　吸引操作弁
　４２　シリンダ体
　４４　切り換え弁体